(57)【要約】      （修正有）【課題】部品点数を削減したシンプルな構造によって、陰茎に対して精液の採取に好適な多元的な刺激を与えて精液採取を促進し、廉価に供給し得て経済的効果を発揮でき、しかも、未使用時の保管、陳列時および使用時の潤滑液の漏出を防止するとともに、抜気に伴う潤滑液の枯渇を確実に回避できる精液採取装置を提供する。【解決手段】精液採取装置１は、長手方向一端部に設けた陰茎挿入口２ａと、この陰茎挿入口２ａから長手方向他端部に向けてのびる陰茎挿入路４とを備えたゲル状の弾性軟体からなる筒状のコア部材２と、陰茎挿入口２ａに連通して開放する開口部３Ａを長手方向一端部に設けて筒状のコア部材２を収容する樹脂フィルムからなる外装体３とを有し、この外装体３は、空気や液体の貯留および排出によって容積が拡縮する中空部３Ｂを備えている。【選択図】図４
0003143663.tif 000002
【実用新案登録請求の範囲】
【請求項１】
長手方向一端部に設けた陰茎挿入口と、この陰茎挿入口から長手方向他端部に向けてのびる陰茎挿入路とを備えたゲル状の弾性軟体からなる筒状のコア部材と、
前記陰茎挿入口に連通して開放する開口部を長手方向一端部に設けて前記筒状のコア部材を収容する外装体とを有し、
この外装体は、流体の貯留および排出によって容積が拡縮する中空部を備えていることを特徴とする精液採取装置。
【請求項２】
請求項１に記載の精液採取装置において、
前記中空部は、長手方向に隣接またはスパイラル状に連続する隆起部からなることを特徴とする精液採取装置。
【請求項３】
請求項１または請求項２に記載の精液採取装置において、
前記中空部に連通して、該中空部への流体の通過を許容し、中空部からの流体の漏れを防止する逆止弁が設けられていることを特徴とする精液採取装置。
【請求項４】
請求項１に記載の精液採取装置において、
前記外装体の開口部周辺は、女性のデリケートゾーンを模して形成されていることを特徴とする精液採取装置。
【請求項５】
請求項１に記載の精液採取装置において、
前記筒状のコア部材の陰茎挿入口の径外域には、陰茎挿入路内に指向して開口する環状の液溜まり部が設けられていることを特徴とする精液採取装置。
【請求項６】
請求項１に記載の精液採取装置において、
前記筒状のコア部材の陰茎挿入路の内面には、長手方向他端部から長手方向一端部に向けてのびる抜気溝が形成されていることを特徴とする精液採取装置。
【考案の詳細な説明】
【技術分野】
【０００１】
本考案は、精液採取装置に係り、たとえば、人工受精前段の適合諸検査や人工受精そのもの、あるいは睾丸疾病などの病理検査の一環に提供される精液の採取に好適な精液採取装置に関するものである。
【背景技術】
【０００２】
人工受精前段でなされる精液量、単位容積当たりの精子数、精子の運動性と運動持続性、頸管分泌物との適合性などの適合諸検査や、これらの検査をクリアした精液による人工受精、あるいは睾丸疾病などの病理検査の一環に提供する精液採取のための精液採取装置として、たとえば特許文献１に記載のものが提案されている。
【０００３】
【特許文献１】特開２００６−３４０８７０号公報
【考案の開示】
【考案が解決しようとする課題】
【０００４】
前記特許文献１に記載の技術は、長手方向一端部が開口した筒状の容器本体と、該容器本体の開口部に着脱して開閉するキャップとからなる容器と、前記容器本体に収容され、長手方向一端部の挿入口から内部にのびる挿入空所を有したゲル状樹脂製のコア部材と、該コア部材と前記筒状の容器本体内壁との間に介在するスポンジ層と、を備えた精液採取装置であって、前記筒状の容器本体は、長手方向中間部適所に他の部位よりも変形が容易な変形容易箇所を備えているものである。
【０００５】
前記構成の精液採取装置によれば、筒状の容器本体の長手方向中間部適所に他の部位よりも変形が容易な変形容易箇所を備えていることにより、陰茎摺擦のための操作中にコア部材内部の陰茎に加わる圧力、その方向を任意に変化させることができ、その結果、陰茎に対する刺激が多様化されて採取目的を達成できるとされている。
【０００６】
ところで、人工受精前段の適合諸検査や人工受精そのもの、あるいは睾丸疾病などの病理検査の一環に提供される精液の採取には、若干の精神的な緊張を伴う。そのため、陰茎に対して通常よりもやや強めの精液の採取に好適な刺激を与えることで、精液採取効率を高めることが必要であるといえる。
【０００７】
ところが、前記特許文献１に記載の精液採取装置では、変形容易箇所の変形による陰茎に加わる圧力、その方向の任意の変化などを無視すると、摺擦操作中の陰茎に対する刺激は、容器本体を陰茎長手方向に進退させる第１の操作によって得られる第１の刺激と、前記第１の操作に並行して容器本体を陰茎長手方向まわりの正逆方向に回動させる第２の操作によって得られる第２の刺激とを複合したな二元的刺激に制約されるので、陰茎に対して精液の採取に好適な刺激を与えて、精液採取効率を高めることが期待できない。
【０００８】
また、前記特許文献１に記載の精液採取装置では、コア部材の陰茎挿入空所内に、任意の配置にて突起や襞などが形成されていて、使用時における容器本体の把持力で各突起や襞などを押圧して陰茎に圧力を加えることで刺激を与えるようにしている。しかし、コア部材と容器本体内壁との間にスポンジ層が介在しているので、スポンジ層により容器本体の把持力が吸収される。そのため、強い把持力で容器本体を把持しなければ、各突起や襞などを押圧して陰茎に圧力を加えて刺激を与えることができないばかりか、陰茎への圧力が陰茎の長手方向において均等に負荷されず、これが、精液採取効率を低下させる一因になっている。
【０００９】
さらに、未使用状態にある精液採取装置を保管、陳列する際に、容器の開口側を下向きにして立設した場合に、コア部材の内部に充填されている潤滑液（ローション）がコア部材の入口側に溜まるように、キャップの開放時にコア部材の挿入口から潤滑液が漏れ出すのを防止するために、コア部材の挿入口をゲル状樹脂からなる蓋板によって開閉自在に閉止している。ところが、精液採取装置の使用時には、前記蓋板が陰茎の先端によって挿入口から挿入空所内に押し込まれるので、潤滑液は陰茎の表面を伝って漏出し着衣に付着するおそれを有している。
【００１０】
また、コア部材の先端部適所に、逆止弁として機能する抜気用の短い切り込み線を切り込み形成することで、陰茎の先端と挿入空所の奥部内面との間に溜まろうとする空気を抜気して、陰茎の先端と挿入空所の奥部内面との間の摩擦を補償するようにしているが、ゲル状樹脂製のコア部材では、切り込み形成された短い切り込み線に亀裂が生じ易く、亀裂によって切り込み線が長くなり過ぎると、最早、逆止弁としての機能が消失されて、抜気後の陰茎摺擦動作によって切り込み線が開放されるおそれを有し、切り込み線が開放されると潤滑液が漏出して、精液採取装置の使用途上で潤滑液が枯渇する不具合を招くことになる。
【００１１】
さらに、筒状の容器本体と、該容器本体の開口部に着脱して開閉するキャップと、挿入空所を有したゲル状樹脂製のコア部材と、該コア部材と前記筒状の容器本体内壁との間に介在するスポンジ層などの少なくとも４部品を必要とするので、部品点数が多く、構造が複雑である。したがって、各部品の製造および製造された各部品による精液採取装置組立に手間がかかるので、廉価に供給する経済的効果が期待できない。
【００１２】
本考案は、このような問題を解決するものであって、その目的とするところは、部品点数を削減したシンプルな構造によって、陰茎に対して精液の採取に好適な多元的な刺激を与えて、精液採取を促進し、廉価に供給し得て経済的効果を発揮でき、しかも、未使用状態での保管、陳列および使用時の潤滑液の漏出を防止するとともに、抜気に伴う潤滑液の枯渇を確実に回避できる精液採取装置を提供することにある。
【課題を解決するための手段】
【００１３】
前記目的を達成するために、本考案に係る精液採取装置は、長手方向一端部に設けた陰茎挿入口と、この陰茎挿入口から長手方向他端部に向けてのびる陰茎挿入路とを備えたゲル状の弾性軟体からなる筒状のコア部材と、前記陰茎挿入口に連通して開放する開口部を長手方向一端部に設けて前記筒状のコア部材を収容する外装体とを有し、この外装体は、流体の貯留および排出によって容積が拡縮する中空部を備えていることを特徴としている。
【００１４】
これによれば、部品点数を筒状のコア部材と、外装体の２点に削減したシンプルな構造の精液採取装置を実現できる。また、外装体の中空部に貯留される流体量を加減して、中空部の容積拡縮によって中空部の内圧を調整することで、ゲル状の弾性軟体からなる筒状のコア部材を介して、陰茎に対してその長手方向に均等にしかも精液の採取に好適な過不足のない刺激を与えることができるとともに、陰茎摺擦操作中における外装体の握力や撓曲力などを加減することで、陰茎に加わる圧力やその方向を任意に変化させて、陰茎に対する刺激の多様化を図れる。
【００１５】
前記中空部は、長手方向に隣接またはスパイラル状に連続する隆起部からなることを特徴としている。これによると、手指を長手方向に隣接またはスパイラル状に連続する隆起部の間の谷部に添わせ、隆起部を手指で挟んだ状態で外装体を把持できるので、外装体の把持が容易になって、陰茎摺擦操作の安定性を高めることができる。
【００１６】
前記中空部に連通して、該中空部への流体の通過を許容し、中空部からの流体の漏れを防止する逆止弁が設けられていることを特徴としている。陰茎に対する精液の採取に好適な過不足のない刺激は、中空部の内圧によって設定することができ、中空部の内圧は外装体の中空部に供給される流体量の加減によって調整できるとともに、供給量が加減された流体を逆止弁の逆止作用により中空部に保持できることによって、陰茎に対して精液の採取に好適な過不足のない刺激を与えて精液採取を促進させることができる。
【００１７】
前記外装体の開口部周辺は、女性のデリケートゾーンを模して形成されていることを特徴としている。これによると、精液採取装置使用時における開口部周辺の目視によって刺激を高めて精液採取を促進させることができる。
【００１８】
前記筒状のコア部材の陰茎挿入口の径外域には、陰茎挿入路内に指向して開口する環状の液溜まり部が設けられていることを特徴としている。
【００１９】
これによると、未使用状態にある精液採取装置を保管、陳列する際には、コア部材の陰茎挿入口側を下向きにして精液採取装置を立設すれば、陰茎挿入路内に充填または塗布されている潤滑液（ローション）は、陰茎挿入路内に指向して開口する環状の液溜まり部に貯留される。つまり、潤滑液は、上向きに指向して開口する環状の液溜まり部に貯留されるので、コア部材から漏出することはない。また、精液採取装置の使用時には、陰茎挿入口は陰茎によって塞がれるとともに、陰茎挿入口の内周面に陰茎の外周面を摺擦するカキ取り作用が生じるので、潤滑液が陰茎の表面を伝って漏出するのを防止できる。したがって、手指や着衣に潤滑液が付着することはない。
【００２０】
前記筒状のコア部材の陰茎挿入路の内面には、長手方向他端部から長手方向一端部に向けてのびる抜気溝が形成されていることを特徴としている。
【００２１】
これによると、陰茎の先端と陰茎挿入路の長手方向他端部内面との間に溜まろうとする空気、つまり、陰茎の先端と陰茎挿入路奥部内面との間に溜まろうとする空気は、陰茎挿入路への陰茎の初期挿入によって抜気溝を通って陰茎挿入路の長手方向他端部から長手方向一端部に向けて流動してコア部材の外部に抜気（排気）されるので、陰茎の先端と陰茎挿入路の奥部内面との間の摩擦が補償される。また、潤滑液は抜気溝からコア部材の外部に漏出しないので、精液採取装置の使用途上で潤滑液が枯渇する不具合は発生しない。
【考案の効果】
【００２２】
本考案によれば、部品点数を筒状のコア部材と、外装体の２点に削減したシンプルな構造によって、陰茎に対して精液の採取に好適な多元的な刺激を与えて精液採取を促進し、廉価に供給し得て経済的効果を発揮でき、しかも、未使用状態での保管、陳列時および使用時の潤滑液の漏出を防止するとともに、抜気に伴う潤滑液の枯渇を確実に回避することができる。
【考案を実施するための最良の形態】
【００２３】
以下、本考案の好ましい実施形態を図面に基づいて説明する。
図１は本考案の一実施形態を示す斜視図、図２は正面図、図３は側面図、図４は図２のＩＶ−ＩＶ線断面図である。
【００２４】
図１〜図４において、精液採取装置１は、ゲル状の弾性軟体からなる筒状のコア部材２と、該筒状のコア部材２を収容する外装体３とを有する。
【００２５】
筒状のコア部材２は、ゲル状のポリプロピレン、ゲル状のエラストマー、ゲル状のシリコン樹脂などのゲル状の弾性軟体によって円筒形に成形され、長手方向一端部（図１〜図４の下端部）の陰茎挿入口２ａから長手方向他端部（図１〜図４の上端部）に向けてのびる陰茎挿入路４を備え、陰茎挿入路４内に突出する内部突起群５および襞群６を有している。
【００２６】
内部突起群５は、第１内部突起群５ａと、第２内部突起群５ｂとからなり、襞群６は第１襞群６ａと、第２襞群６ｂとからなる。第１内部突起群５ａは、陰茎挿入路４における一様な内径を有する長手方向中間部位４Ａで陰茎挿入路４内に突出しており、第２内部突起群５ｂは、陰茎挿入路４における奥面４ｂに向かって漸次小径となるテーパ面からなる長手方向他端部位（奥部位）４Ｂおよび前記奥面４ｂで陰茎挿入路４内に突出している。また、第１襞群６ａは、陰茎挿入路４における長手方向一端部位４Ｃで雌ネジ状に陰茎挿入路４内に突出しており、第２襞群６ｂは、長手方向中間部位４Ａと長手方向他端部位４Ｂの間でリング状に陰茎挿入路４内に突出している。
【００２７】
筒状のコア部材２の陰茎挿入路４における陰茎挿入口２ａの径外域には、陰茎挿入路４内に指向して開口する環状の液溜まり部７が設けられ、陰茎挿入路４の内面には、長手方向他端部位（奥部位）４Ｂから長手方向一端部位４Ｃに向けてのびる複数条の抜気溝８が形成されている。
【００２８】
筒状のコア部材２を収容する外装体３は、ＰＶＣ（ポリ塩化ビニル）などの樹脂フィルムによって成形されており、その長手方向一端部（図１〜図４の下端部）には、筒状のコア部材２の陰茎挿入口２ａに連通して開放する開口部３Ａが設けられており、空気や水あるいは適温の湯などの流体の貯留および排出によって容積が拡縮する一連の中空部３Ｂを備えた内外二重構造の有天井筒体からなる。前記一連の中空部３Ｂは、長手方向に隣接する複数の環状の隆起部３ｂ１〜３ｂｎを備えている。なお、一連の中空部３Ｂを前記長手方向に隣接する複数の環状の隆起部３ｂ１〜３ｂｎに代えて、スパイラル状に連続する一条の隆起部（図示省略）によって構成してもよい。
【００２９】
外装体３における長手方向他端部（図１〜図４の上端部）側の隆起部３ｂｎの下端部は二重構造の天井部３Ｃによって連通しており、この天井部３Ｃの上面を貫通して、中空部３Ｂへの前記流体の通過を許容し、かつ、中空部３Ｂからの流体の漏れを防止する逆止弁９を設けてある。このように、隆起部３ｂｎの下端部を連通させる天井部３Ｃの上面に逆止弁９を設けることで、逆止弁９は隆起部３ｂｎによって囲まれて主として径外領域水平方向からの視認が不能になるので、外装体３の見栄えを向上させることができる。
【００３０】
また、外装体３における開口部３Ａの周辺は、女性のデリケートゾーン１０を模して形成してある。
【００３１】
前記構成の精液採取装置１は、その部品点数が筒状のコア部材２と、外装体３の２点に削減されたシンプルな構造であることで、製作が容易になることによって、廉価に供給し得る経済的効果を発揮できる。
【００３２】
前記構成の精液採取装置１では、まず、周知の手動エアポンプ（図示省略）の空気吐出口を逆止弁９の給・排気口に接続して手動によって給気する。これにより空気は中空部３Ｂに供給されて内圧を高めながら該中空部３Ｂを拡大させる。ここで、陰茎に対する精液の採取に好適な過不足のない刺激は、中空部３Ｂの内圧によって設定することができ、中空部３Ｂの内圧は中空部３Ｂに供給される空気量の加減によって調整できるとともに、供給量が加減された空気を逆止弁９の逆止作用により中空部３Ｂに保持できることによって、陰茎に対して精液の採取に好適な過不足のない刺激を与えることの可能な使用前の準備がなされる。
【００３３】
つぎに、陰茎挿入口２ａを介して陰茎挿入路４に陰茎を挿入し、外装体３を把持して陰茎摺擦操作を行うことによって精液を採取できる。この場合、外装体３における中空部３Ｂの内圧がすでに好みの値に調整されていることで、ゲル状の弾性軟体からなる筒状のコア部材２を介して、陰茎に対してその長手方向に均等にしかも精液の採取に好適な過不足のない刺激を与えることができる。さらに、陰茎摺擦操作中における外装体３の握力や撓曲力などを加減することで、陰茎に加わる圧力やその方向を任意に変化させて、陰茎に対する刺激の多様化を図れる。その結果、精液採取が促進される。なお、強い把持力で外装体３を把持しなくても、中空部３Ｂの内圧によって第１襞６ａのと第２襞群６ｂおよび第１襞群６ａと第２襞群６ｂのすべてを均等に押圧して、陰茎に圧力を加えて刺激を与えることで精液採取を促進できる。また、第２内部突起群５ｂは、奥面４ｂに向かって漸次小径となるテーパ面からなる長手方向他端部位（奥部位）４Ｂおよび前記奥面４ｂで陰茎挿入路４内に突出しているので、外装体３における長手方向他端部位（奥部位）４Ｂの外周部を把持しなくても、陰茎の先端部に好適な圧力を加えて刺激を与えることができる。
【００３４】
中空部３Ｂは、長手方向に隣接する複数の環状の隆起部３ｂ１〜３ｂｎによって構成されているので、手指を隆起部３ｂ１〜３ｂｎの間の谷部に添わせ、隆起部３ｂ１〜３ｂｎを手指で挟んだ状態で外装体３把持できるので、外装体３の把持が容易になって、陰茎摺擦操作の安定性を高めることができる。
【００３５】
さらに、外装体３の開口部３Ａの周辺は、女性のデリケートゾーン１０を模して形成されているので、精液採取装置１の前記使用時における開口部３Ａ周辺の目視によって刺激を高めて精液採取を促進させることができる。
【００３６】
一方、筒状のコア部材２の陰茎挿入口２ａの径外域には、陰茎挿入路４内に指向して開口する環状の液溜まり部７が設けられているので、未使用状態にある精液採取装置１を保管、陳列する際には、コア部材２の陰茎挿入口２ａ側を下向きにして精液採取装置１を立設すれば、陰茎挿入路４内に充填または塗布されている潤滑液（ローション）は、陰茎挿入路４内に指向して開口する環状の液溜まり部７に貯留される。つまり、潤滑液は、上向きに指向して開口する環状の液溜まり部７に貯留されるので、コア部材２から漏出することはない。また、精液採取装置１の使用時には、陰茎挿入口２ａは陰茎によって塞がれるとともに、陰茎挿入口２ａの内周面に陰茎の外周面を摺擦するカキ取り作用が生じるので、潤滑液が陰茎の表面を伝って漏出するのを防止できる。したがって、手指や着衣に潤滑液が付着することはない。
【００３７】
他方、コア部材２における陰茎挿入路４の内面には、長手方向他端部（奥部位）４Ｂから長手方向一端部位４Ｃに向けてのびる複数条の抜気溝８が形成されているので、陰茎の先端と陰茎挿入路４の長手方向他端部内面との間に溜まろうとする空気、つまり、陰茎の先端と陰茎挿入路４奥部内面との間に溜まろうとする空気は、陰茎挿入路４への陰茎の初期挿入によって、複数条の抜気溝８を通って陰茎挿入路４の長手方向他端部から長手方向一端部に向けて流動してコア部材２の外部に抜気（排気）される。これにより、陰茎の先端と陰茎挿入路４の奥部内面との間の摩擦が補償される。また、潤滑液は複数条の抜気溝８からコア部材２の外部に漏出しないので、精液採取装置１の使用途上で潤滑液が枯渇する不具合は発生しない。
【００３８】
前記実施形態では、外装体３の中空部３Ｂに空気を供給して内圧を高めながら該中空部３Ｂを拡大させているが、空気に代えて水あるいは適温の湯を中空部３Ｂに供給して内圧を高めながら該中空部３Ｂを拡大させてもよい。適温の湯を中空部３Ｂに供給することで、筒状のコア部材２が適温に温められて体感温度を好転することができるので、精液採取を一層促進させることができる。なお、外装体３の中空部３Ｂに供給された空気や水あるいは適温の湯からなる流体は、逆止弁９の給・排気口から開弁用のピンを挿入して、常閉弁体（図示省略）を押圧して開弁することによって、給・排気口から外部に排出することができる。
【図面の簡単な説明】
【００３９】
【図１】本考案の一実施形態を示す斜視図である。
【図２】図１の正面図である。
【図３】図１の側面図である。
【図４】図２のＩＶ−ＩＶ線断面図である。
【符号の説明】
【００４０】
１  精液採取装置
２  筒状のコア部材
２ａ  陰茎挿入口
３  外装体
３Ａ  開口部
３Ｂ  中空部
３ｂ１〜３ｂｎ  隆起部
４  陰茎挿入路
７  環状の液溜まり部
８  抜気溝
９  逆止弁
１０  女性のデリケートゾーン
【図１】
0003143663.tif 000003
【図２】
0003143663.tif 000004
【図３】
0003143663.tif 000005
【図４】
0003143663.tif 000006